(57)【特許請求の範囲】
【請求項１】
消耗品を収容する交換部品が装着される装着部と、
前記消耗品を消費することによって記録媒体に画像を形成する画像形成部と、
前記装着部に装着された前記交換部品が、第１交換部品であるか前記第１交換部品と相違する第２交換部品であるかを判定する第１判定部と、
前記第２交換部品の前記消耗品の消費量を算出する第１算出部と、
前記消費量が閾値以上であるか否かを判定する第２判定部と、
前記消費量が前記閾値以上ではないと前記第２判定部が判定した場合に、課金金額を第１金額から第２金額に変更する課金部と
を備え、
前記交換部品が前記第１交換部品であると前記第１判定部が判定した場合には、前記課金部は、前記課金金額を前記第１金額から第３金額に変更し、
前記課金部が前記課金金額を前記第１金額から前記第３金額に変更した後、前記交換部品が前記第２交換部品であると前記第１判定部が判定した場合には、前記課金部は、所定期間だけ前記課金金額を前記第３金額に保持し、
前記第２金額は、前記第１金額より安く、
前記第３金額は、前記第２金額以下である、画像形成装置。
【請求項２】
前記装着部には、複数色の消耗品をそれぞれ収容する複数の交換部品が装着され、
前記画像形成部は、前記複数色の消耗品を消費することによって記録媒体にカラー画像を形成可能であり、
前記第１判定部は、前記複数の交換部品の各々が前記第１交換部品であるか前記第２交換部品であるかを判定し、
前記課金部は、前記第１判定部の判定結果に応じて、前記課金金額を決定する、請求項１に記載の画像形成装置。
【請求項３】
前記第１算出部は、前記複数の交換部品の少なくとも１つが前記第２交換部品であると前記第１判定部が判定した場合に、前記少なくとも１つの交換部品に収納された前記消耗品の消費量を算出し、
前記第２判定部は、前記少なくとも１つの交換部品に収納された前記消耗品の消費量が前記閾値以上であるか否かを判定し、
前記課金部は、前記第２判定部の判定結果に応じて、前記課金金額を決定する、請求項２に記載の画像形成装置。
【請求項４】
前記複数色は、黒色を含み、
前記第２判定部は、前記少なくとも１つの交換部品に収納された前記消耗品の色が黒色であるか否かを更に判定し、
前記課金部は、前記第２判定部の判定結果に応じて、前記課金金額を決定する、請求項３に記載の画像形成装置。
【請求項５】
前記複数の交換部品に収納された前記消耗品の各々の消費量の和を算出する第２算出部を更に備え、
前記課金部は、前記消費量の和に基づき、前記課金金額を決定する、請求項３又は請求項４に記載の画像形成装置。
【請求項６】
前記課金金額は、前記画像形成部が前記記録媒体に画像を形成することに対して課金する金額、前記画像形成装置の保守作業に対して課金する金額、及び前記交換部品とは相違する所定の交換部品の交換に対して課金する金額の少なくとも１つを示す、請求項１から請求項５のいずれか１項に記載の画像形成装置。
【請求項７】
消耗品を収容する交換部品が装着される装着部と、前記消耗品を消費することによって記録媒体に画像を形成する画像形成部とを備える画像形成装置が実行する画像形成方法であって、
前記装着部に装着された前記交換部品が、第１交換部品であるか前記第１交換部品と相違する第２交換部品であるかを判定する第１判定ステップと、
前記第２交換部品の前記消耗品の消費量を算出する算出ステップと、
前記消費量が閾値以上であるか否かを判定する第２判定ステップと、
前記消費量が前記閾値以上ではないと判定した場合に、課金金額を第１金額から第２金額に変更する課金ステップと
を備え、
前記交換部品が前記第１交換部品であると判定した場合には、前記課金ステップでは、前記課金金額を前記第１金額から第３金額に変更し、
前記課金ステップで前記課金金額を前記第１金額から前記第３金額に変更した後、前記交換部品が前記第２交換部品であると判定した場合には、前記課金ステップでは、所定期間だけ前記課金金額を前記第３金額に保持し、
前記第２金額は、前記第１金額より安く、
前記第３金額は、前記第２金額以下である、画像形成方法。
【請求項８】
消耗品を収容する交換部品が装着される装着部と、
前記消耗品を消費することによって記録媒体に画像を形成する画像形成部と、
前記装着部に装着された前記交換部品が、第１交換部品であるか前記第１交換部品と相違する第２交換部品であるかを判定する第１判定部と、
課金金額を変更する課金部と
を備え、
前記交換部品が前記第１交換部品であると前記第１判定部が判定した場合には、前記課金部は、前記課金金額を前記第１金額から第３金額に変更し、
前記課金部が前記課金金額を前記第１金額から前記第３金額に変更した後、前記交換部品が前記第２交換部品であると前記第１判定部が判定した場合には、前記課金部は、所定期間だけ前記課金金額を前記第３金額に保持し、
前記第３金額は、前記第１金額より安い、画像形成装置。
【発明の詳細な説明】
【技術分野】
【０００１】
本発明は、画像形成装置、及び画像形成方法に関する。
【背景技術】
【０００２】
特許文献１に記載の画像形成装置には、インクカートリッジが装着される。インクカートリッジには、ＩＤチップが配置されている。ＩＤチップにはカートリッジに固有のシリアルナンバーが記憶されている。インクカートリッジを画像形成装置に装着した時に、画像形成装置は、純正品であるか否かを識別する。インクカートリッジが純正品ではない場合には、画像形成装置は、インクカートリッジが純正品である場合よりも、プリント１枚あたりの単価を高く設定する。
【先行技術文献】
【特許文献】
【０００３】
【特許文献１】特開２００６−２７６７０９号公報
【発明の概要】
【発明が解決しようとする課題】
【０００４】
特許文献１に記載の画像形成装置では、インクカートリッジが純正品ではない場合には、インクカートリッジが純正品である場合よりも単価が高く設定されるため、ユーザーが不利益を受ける可能性がある。すなわち、ユーザーに対して適正な課金がされない可能性がある。
【０００５】
本発明は、上記課題に鑑みてなされたものであり、ユーザーに対して適正に課金可能な画像形成装置、及び画像形成方法を提供することを目的としている。
【課題を解決するための手段】
【０００６】
本発明に係る画像形成装置は、装着部、画像形成部、第１判定部、第１算出部、第２判定部及び課金部を備える。前記装着部は、消耗品を収容する交換部品が装着される。前記画像形成部は、前記消耗品を消費することによって記録媒体に画像を形成する。前記第１判定部は、前記装着部に装着された前記交換部品が、第１交換部品であるか前記第１交換部品と相違する第２交換部品であるかを判定する。前記第１算出部は、前記第２交換部品の前記消耗品の消費量を算出する。前記第２判定部は、前記消費量が閾値以上であるか否かを判定する。前記課金部は、前記消費量が前記閾値以上ではないと前記第２判定部が判定した場合に、課金金額を第１金額から第２金額に変更する。前記交換部品が前記第１交換部品であると前記第１判定部が判定した場合には、前記課金部は、前記課金金額を前記第１金額から前記第３金額に変更する。前記第２金額は、前記第１金額より安い。前記第３金額は、前記第２金額以下である。
【０００７】
本発明に係る画像形成方法は、装着部と、画像形成部とを備える画像形成装置が実行する画像形成方法である。前記装着部は、消耗品を収容する交換部品が装着される。前記画像形成部は、前記消耗品を消費することによって記録媒体に画像を形成する。前記画像形成方法は、第１判定ステップ、算出ステップ、第２判定ステップ、及び課金ステップを含む。前記第１判定ステップでは、前記装着部に装着された前記交換部品が、第１交換部品であるか前記第１交換部品と相違する第２交換部品であるかを判定する。前記算出ステップでは、前記第２交換部品の前記消耗品の消費量を算出する。前記第２判定ステップでは、前記消費量が閾値以上であるか否かを判定する。前記課金ステップでは、前記消費量が前記閾値以上ではないと判定した場合に、課金金額を第１金額から第２金額に変更する。前記交換部品が前記第１交換部品であると判定した場合には、前記課金ステップでは、前記課金金額を前記第１金額から第３金額に変更する。前記第２金額は、前記第１金額より安い。前記第３金額は、前記第２金額以下である。
【発明の効果】
【０００８】
本発明の画像形成装置、及び画像形成方法によれば、ユーザーに対して適正に課金できる。
【図面の簡単な説明】
【０００９】
【図１】本発明の実施形態に係る画像形成装置の構成の一例を示す図である。
【図２】本発明の実施形態に係る画像形成部の構成の一例を示す図である。
【図３】本発明の実施形態に係る制御部の構成の一例を示す図である。
【図４】制御部の処理の一例を示すフローチャートである。
【図５】制御部の課金金額算出処理の一例を示すフローチャートである。
【図６】減額する条件と減額する金額との関係の一例を示す図である。
【図７】タッチパネルに表示する課金金額表示画面の一例を示す画面図である。（ａ）は、第１コンテナが装着された場合の課金金額表示画面の一例を示す画面図である。（ｂ）は、第２コンテナが装着された場合の課金金額画面の一例を示す画面図である。
【図８】制御部の処理の別の一例を示すフローチャートである。
【図９】制御部の課金金額算出処理の別の一例を示すフローチャートである。
【図１０】制御部の課金金額算出処理の別の一例を示すフローチャートである。
【発明を実施するための形態】
【００１０】
以下、本発明の実施形態について、図面（図１〜図１０）を参照しながら説明する。なお、図中、同一又は相当部分については同一の参照符号を付して説明を繰り返さない。
【００１１】
まず、図１を参照して、本発明の実施形態に係る画像形成装置１００の構成について説明する。図１は、画像形成装置１００の構成を示す図である。画像形成装置１００は、カラー複合機である。
【００１２】
図１に示すように、画像形成装置１００は、画像形成ユニット１、画像読取ユニット２、原稿搬送ユニット３、操作パネル１４及び制御部８を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル１４は、ユーザーからの操作を受け付ける。制御部８は、画像形成装置１００の動作を制御する。
【００１３】
画像形成ユニット１は、給送部１２、搬送部Ｌ、トナー供給部１３、画像形成部４、定着部１６及び排出部１７を備える。画像形成部４は、転写部５を含む。
【００１４】
給送部１２は、用紙Ｐを搬送部Ｌへ供給する。搬送部Ｌは、用紙Ｐを転写部５及び定着部１６を経由して排出部１７まで搬送する。用紙Ｐは、「記録媒体」の一例に相当する。
【００１５】
トナー供給部１３は、画像形成部４にトナーを供給する。トナー供給部１３には、トナーコンテナＴＣｃ、トナーコンテナＴＣｍ、トナーコンテナＴＣｙ及びトナーコンテナＴＣｋが装着される。トナーコンテナＴＣｃ〜トナーコンテナＴＣｋは、「複数の交換部品」の一例に相当する。以下の説明において、トナーコンテナＴＣｃ〜トナーコンテナＴＣｋの各々を、トナーコンテナＴＣと総称する場合がある。トナー供給部１３は、「装着部」の一例に相当する。
【００１６】
トナーコンテナＴＣｃには、シアン色のトナーＴＮ１が収納される。トナーコンテナＴＣｃは、画像形成部４にシアン色のトナーＴＮ１を供給する。トナーコンテナＴＣｍには、マゼンタ色のトナーＴＮ２が収納される。トナーコンテナＴＣｍは、画像形成部４にマゼンタ色のトナーＴＮ２を供給する。トナーコンテナＴＣｙには、イエロー色のトナーＴＮ３が収納される。トナーコンテナＴＣｙは、画像形成部４にイエロー色のトナーＴＮ３を供給する。トナーコンテナＴＣｋには、黒色のトナーＴＮ４が収納される。トナーコンテナＴＣｋは、画像形成部４に黒色のトナーＴＮ４を供給する。シアン色のトナーＴＮ１、マゼンタ色のトナーＴＮ２、イエロー色のトナーＴＮ３及び黒色のトナーＴＮ４は、「消耗品」の一例に相当する。以下の説明において、トナーＴＮ１〜トナーＴＮ４をトナーＴＮと総称する場合がある。
【００１７】
トナーコンテナＴＣｃは、ＩＣ（Ｉｎｔｅｇｒａｔｅｄ  Ｃｉｒｃｕｉｔ）タグ６１を備える。ＩＣタグ６１は、トナーコンテナＴＣｃの周面に配置される。ＩＣタグ６１は、トナーコンテナＴＣｃの識別情報ＪＤｃを記憶する。トナーコンテナＴＣｍは、ＩＣタグ６２を備える。ＩＣタグ６２は、トナーコンテナＴＣｍの周面に配置される。ＩＣタグ６２は、トナーコンテナＴＣｍの識別情報ＪＤｍを記憶する。
【００１８】
トナーコンテナＴＣｙは、ＩＣタグ６３を備える。ＩＣタグ６３は、トナーコンテナＴＣｙの周面に配置される。ＩＣタグ６３は、トナーコンテナＴＣｙの識別情報ＪＤｙを記憶する。トナーコンテナＴＣｋは、ＩＣタグ６４を備える。ＩＣタグ６４は、トナーコンテナＴＣｋの周面に配置される。ＩＣタグ６４は、トナーコンテナＴＣｋの識別情報ＪＤｋを記憶する。以下の説明において、ＩＣタグ６１〜ＩＣタグ６４を、ＩＣタグ６と総称する場合がある。また、識別情報ＪＤｃ、識別情報ＪＤｍ、識別情報ＪＤｙ及び識別情報ＪＤｋを、識別情報ＪＤと総称する場合がある。
【００１９】
トナー供給部１３には、トナーコンテナＴＣｃ〜トナーコンテナＴＣｋが着脱自在である。トナー供給部１３は、リーダー７１、リーダー７２、リーダー７３及びリーダー７４を備える。
【００２０】
リーダー７１は、ＩＣタグ６１からトナーコンテナＴＣｃの識別情報ＪＤｃを読み取る。リーダー７２は、ＩＣタグ６２からトナーコンテナＴＣｍの識別情報ＪＤｍを読み取る。リーダー７３は、ＩＣタグ６３からトナーコンテナＴＣｙの識別情報ＪＤｙを読み取る。リーダー７４は、ＩＣタグ６４からトナーコンテナＴＣｋの識別情報ＪＤｋを読み取る。以下の説明において、リーダー７１〜リーダー７４を、リーダー７と総称する場合がある。
【００２１】
画像形成部４は、用紙Ｐに画像を形成する。転写部５は、中間転写ベルト５４を備える。画像形成部４が、中間転写ベルト５４上にシアン色、マゼンタ色、イエロー色、及び黒色のトナー像を転写する。複数色のトナー像が中間転写ベルト５４上で重畳され、中間転写ベルト５４上に画像が形成される。転写部５は、中間転写ベルト５４上に形成された画像を、用紙Ｐ上に転写する。その結果、用紙Ｐに画像が形成される。画像形成部４及び転写部５については、図２を参照して後述にて詳細に説明する。
【００２２】
定着部１６は、用紙Ｐを加熱及び加圧し、用紙Ｐに形成された画像を用紙Ｐに定着する。排出部１７は、用紙Ｐを画像形成装置１００の外部に排出する。
【００２３】
操作パネル１４は、タッチパネル１４１を備える。タッチパネル１４１は、例えば、ＬＣＤ（Ｌｉｑｕｉｄ  Ｃｒｙｓｔａｌ  Ｄｉｓｐｌａｙ）を備え、種々の画像を表示する。また、タッチパネル１４１は、タッチセンサーを備え、ユーザーからの操作を受け付ける。
【００２４】
制御部８は、プロセッサー８１、記憶部８２及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）８３を備える。プロセッサー８１は、例えばＣＰＵ（Ｃｅｎｔｒａｌ  Ｐｒｏｃｅｓｓｉｎｇ  Ｕｎｉｔ）を備える。記憶部８２は、半導体メモリーのようなメモリーを備え、ＨＤＤ（Ｈａｒｄ  Ｄｉｓｋ  Ｄｒｉｖｅ）を備えてもよい。記憶部８２は、制御プログラムを記憶している。ＡＳＩＣ８３は、トナーカウンターを備える。トナーカウンターについては、図３を参照して後述にて詳細に説明する。
【００２５】
次に、図１及び図２を参照して、本発明の実施形態に係る画像形成部４の構成について説明する。図２は、画像形成部４の構成の一例を示す図である。図２に示すように、画像形成部４は、画像形成部４ｃ、画像形成部４ｍ、画像形成部４ｙ及び画像形成部４ｋを備える。
【００２６】
画像形成部４ｃ、画像形成部４ｍ、画像形成部４ｙ及び画像形成部４ｋの構成は、供給されるトナーＴＮの色が異なるのみで、その他の構成は略同一である。したがって、以下の説明では、シアン色のトナーＴＮ１が供給される画像形成部４ｃの構成について説明し、画像形成部４ｃ以外の画像形成部（画像形成部４ｍ、画像形成部４ｙ及び画像形成部４ｋ）の構成についての説明は省略する。
【００２７】
画像形成部４ｃは、露光部４１ｃ、感光体ドラム４２ｃ、現像部４３ｃ、帯電ローラー４４ｃ及びクリーニングブレード４５ｃを有する。画像形成部４ｍは、露光部４１ｍ、感光体ドラム４２ｍ、現像部４３ｍ、帯電ローラー４４ｍ及びクリーニングブレード４５ｍを有する。画像形成部４ｙは、露光部４１ｙ、感光体ドラム４２ｙ、現像部４３ｙ、帯電ローラー４４ｙ及びクリーニングブレード４５ｙを有する。画像形成部４ｋは、露光部４１ｋ、感光体ドラム４２ｋ、現像部４３ｋ、帯電ローラー４４ｋ及びクリーニングブレード４５ｋを有する。
【００２８】
以下の説明では、露光部４１ｃ、露光部４１ｍ、露光部４１ｙ及び露光部４１ｋを、露光部４１と総称する場合がある。感光体ドラム４２ｃ、感光体ドラム４２ｍ、感光体ドラム４２ｙ及び感光体ドラム４２ｋを、感光体ドラム４２と総称する場合がある。現像部４３ｃ、現像部４３ｍ、現像部４３ｙ及び現像部４３ｋを、現像部４３と総称する場合がある。帯電ローラー４４ｃ、帯電ローラー４４ｍ、帯電ローラー４４ｙ及び帯電ローラー４４ｋを、帯電ローラー４４と総称する場合がある。クリーニングブレード４５ｃ、クリーニングブレード４５ｍ、クリーニングブレード４５ｙ及びクリーニングブレード４５ｋを、クリーニングブレード４５と総称する場合がある。
【００２９】
帯電ローラー４４ｃは、感光体ドラム４２ｃを所定の電位に帯電させる。露光部４１ｃは、感光体ドラム４２ｃにレーザー光を照射して露光し、感光体ドラム４２ｃに静電潜像を形成する。現像部４３ｃは、現像ローラー４３１ｃを有する。現像ローラー４３１ｃは、感光体ドラム４２ｃにシアン色のトナーＴＮ１を供給して静電潜像を現像してトナー像を形成する。このようにして、感光体ドラム４２ｃの周面にシアン色のトナー像が形成される。
【００３０】
クリーニングブレード４５ｃの先端（図２では上端）は、感光体ドラム４２ｃの周面と摺接する。感光体ドラム４２ｃの周面とクリーニングブレード４５ｃの先端とが摺接することで、クリーニングブレード４５ｃは、感光体ドラム４２ｃの周面に残留するシアン色のトナーＴＮ１を除去する。
【００３１】
転写部５は、用紙Ｐにトナー像を転写する。転写部５は、一次転写ローラー５１、二次転写ローラー５２、駆動ローラー５３、中間転写ベルト５４及び従動ローラー５５を備える。一次転写ローラー５１は、感光体ドラム４２からシアン色、マゼンタ色、イエロー色、及び黒色のトナー像を中間転写ベルト５４に転写する。一次転写ローラー５１は、一次転写ローラー５１ｃ、一次転写ローラー５１ｍ、一次転写ローラー５１ｙ及び一次転写ローラー５１ｋを含む。
【００３２】
駆動ローラー５３は、中間転写ベルト５４を駆動する。中間転写ベルト５４は、一次転写ローラー５１、駆動ローラー５３及び従動ローラー５５に張架された無端ベルトである。中間転写ベルト５４は、駆動ローラー５３によって、矢印Ｄ１及び矢印Ｄ２に示すように、反時計回りに回転駆動される。従動ローラー５５は、中間転写ベルト５４の回転に伴って回転駆動される。ブレード５６は、中間転写ベルト５４の表面に残留しているトナーＴＮを除去する。
【００３３】
二次転写ローラー５２は、駆動ローラー５３に押圧され、二次転写ローラー５２と駆動ローラー５３との間にニップ部Ｎが形成される。二次転写ローラー５２は、用紙Ｐがニップ部Ｎを通過する際に、中間転写ベルト５４上のトナー像を用紙Ｐに転写する。
【００３４】
次に、図１〜図３を参照して、本発明の実施形態に係る制御部８の構成について説明する。図３は、制御部８の構成の一例を示す図である。
【００３５】
図３に示すように、制御部８は、取得部８０１、第１判定部８０２、第１算出部８０３、第２判定部８０４、第２算出部８０５及び課金部８０６を備える。具体的には、制御部８のプロセッサー８１は、制御プログラムを実行することによって、取得部８０１、第１判定部８０２、第１算出部８０３、第２判定部８０４、第２算出部８０５及び課金部８０６として機能する。ＡＳＩＣ８３は、トナーカウンター８３１を備える。
【００３６】
取得部８０１は、リーダー７を介して、トナー供給部１３に装着されたトナーコンテナＴＣの識別情報ＪＤを取得する。
【００３７】
第１判定部８０２は、トナー供給部１３に装着されたトナーコンテナＴＣが、第１コンテナＴＣ１であるか、第２コンテナＴＣ２であるかを判定する。第１コンテナＴＣ１は、例えば専用品を示す。第２コンテナＴＣ２は、第１コンテナＴＣ１と相違する。第２コンテナＴＣ２は、例えば専用品以外のトナーコンテナＴＣを示す。以下の説明において、専用品以外のトナーコンテナＴＣを、非専用品と記載する場合がある。
【００３８】
第１算出部８０３は、トナーコンテナＴＣが第２コンテナＴＣ２であると第１判定部８０２が判定した場合に、トナーＴＮの消費量ＣＳを算出する。具体的には、画像形成部４がモノクロ画像を形成する場合には、第１算出部８０３は、黒色のトナーＴＮ４の消費量ＣＳ４をトナーカウンター８３１から取得する。
【００３９】
トナーカウンター８３１は、画像形成部４がモノクロ画像を形成する場合には、モノクロ画像に対応する画像データに含まれる全画素における階調値の合計を算出する。具体的には、トナーカウンター８３１は、画像データに含まれる全画素における黒色の階調値の合計値ＳＭ４を算出する。そして、トナーカウンター８３１は、合計値ＳＭ４からトナーＴＮ４の消費量ＣＳ４を算出する。
【００４０】
第２判定部８０４は、消費量ＣＳが第１閾値ＣＳＡ以上であるか否かを判定する。具体的には、画像形成部４がモノクロ画像を形成する場合には、第２判定部８０４は、消費量ＣＳ４が第１閾値ＣＳＡ以上であるか否かを判定する。
【００４１】
第２算出部８０５の処理については、図６を参照して後述にて詳細に説明する。
【００４２】
課金部８０６は、消費量ＣＳが第１閾値ＣＳＡ以上ではないと第２判定部８０４が判定した場合に、課金金額Ｇを第１金額Ｇ１から第２金額Ｇ２に変更する。第２金額Ｇ２は、第１金額Ｇ１より安い。また、課金部８０７は、トナーコンテナＴＣが第１コンテナＴＣ１であると第１判定部８０２が判定した場合には、課金部８０６は、課金金額Ｇを第１金額Ｇ１から第３金額Ｇ３に変更する。第３金額Ｇ３は、第２金額Ｇ２以下である。
【００４３】
以上、図１〜図３を参照して説明したように、本発明の実施形態では、トナーコンテナＴＣが第２コンテナＴＣ２（例えば、非専用品）であると判定した場合であっても、トナーＴＮ４の消費量ＣＳ４が第１閾値ＣＳＡ以上ではない場合には、課金金額Ｇが第１金額Ｇ１から第１金額Ｇ１より安い第２金額Ｇ２に変更される。よって、第２コンテナＴＣ２が使用される場合であっても、トナーＴＮ４の消費量ＣＳ４が第１閾値ＣＳＡ以上ではない場合には、課金金額Ｇが減少するため、ユーザーは利益を享受できる。
【００４４】
更に、第２コンテナＴＣ２が使用される場合であっても、トナーＴＮ４の消費量ＣＳ４が第１閾値ＣＳＡ以上ではない場合には、トナーＴＮ４の消費量ＣＳ４が第１閾値ＣＳＡ以上である場合と比較して、第２コンテナＴＣ２が使用されることに伴う画像形成装置１００の部品（例えば、感光体ドラム４２ｋ、現像部４３ｋ）の劣化の進行が抑制される。よって、画像形成装置１００の部品の寿命を延長できる。したがって、ユーザーに対して適正に課金できる。
【００４５】
次に、図１〜図５を参照して、制御部８の処理について説明する。図４は、制御部８の処理の一例を示すフローチャートである。具体的には、図４は、画像形成部４がモノクロ画像を形成する場合の制御部８の処理を示す。
図４に示すように、まず、ステップＳ１０１において、制御部８が、トナー供給部１３にトナーコンテナＴＣｋが装着されたか否かを判定する。
トナーコンテナＴＣｋが装着されていないと制御部８が判定した場合（ステップＳ１０１でＮＯ）には、処理が待機状態になる。トナーコンテナＴＣｋが装着されたと制御部８が判定した場合（ステップＳ１０１でＹＥＳ）には、処理がステップＳ１０３に進む。
そして、ステップＳ１０３において、取得部８０１は、トナーコンテナＴＣｋの識別情報ＪＤｋを取得する。
次に、ステップＳ１０５において、第１判定部８０２は、トナーコンテナＴＣｋが第１コンテナＴＣ１であるか、第２コンテナＴＣ２であるかを判定する。
【００４６】
次に、ステップＳ１０７において、制御部８が、プリントジョブＪＢを受け付けたか否かを判定する。プリントジョブＪＢは、モノクロ画像を用紙Ｐに形成するジョブを示す。
プリントジョブＪＢを受け付けていないと制御部８が判定した場合（ステップＳ１０７でＮＯ）には、処理が待機状態になる。プリントジョブＪＢを受け付けたと制御部８が判定した場合（ステップＳ１０７でＹＥＳ）には、処理がステップＳ１０９に進む。
そして、ステップＳ１０９において、第１算出部８０３は、黒色のトナーＴＮ４の消費量ＣＳ４を算出する。
次に、ステップＳ１１１において、制御部８が、「課金金額算出処理」を実行する。「課金金額算出処理」は、ユーザーに課金する金額（課金金額Ｇ）を決定する処理を示す。
次に、ステップＳ１１３において、課金部８０６は、課金金額表示画面９００をタッチパネル１４１に表示する。課金金額表示画面９００については、図７を参照して後述にて詳細に説明する。
次に、ステップＳ１１５において、制御部８が、プリントジョブＪＢを実行し、処理が終了する。
【００４７】
図５は、制御部８の「課金金額算出処理」の一例を示すフローチャートである。具体的には、図５は、画像形成部４がモノクロ画像を形成する場合の制御部８の「課金金額算出処理」を示す。
図５に示すように、まず、ステップＳ２０１において、課金部８０６は、トナーコンテナＴＣｋが第１コンテナＴＣ１である否かを判定する。
トナーコンテナＴＣｋが第１コンテナＴＣ１であると課金部８０６が判定した場合（ステップＳ２０１でＹＥＳ）には、処理がステップＳ２０９に進む。トナーコンテナＴＣｋが第１コンテナＴＣ１ではないと課金部８０６が判定した場合（ステップＳ２０１でＮＯ）には、処理がステップＳ２０３に進む。
そして、ステップＳ２０３において、課金部８０６は、黒色のトナーＴＮ４の消費量ＣＳ４が第１閾値ＣＳＡ以上であるか否かを判定する。
消費量ＣＳ４が第１閾値ＣＳＡ以上であると課金部８０６が判定した場合（ステップＳ２０３でＹＥＳ）には、処理がステップＳ２０５に進む。
そして、ステップＳ２０５において、課金部８０６が課金金額Ｇを第１金額Ｇ１に決定し、処理が図４のステップＳ１１３に戻る。第１金額Ｇ１は、例えば、１０円である。
消費量ＣＳ４が第１閾値ＣＳＡ以上ではないと課金部８０６が判定した場合（ステップＳ２０３でＮＯ）には、処理がステップＳ２０７に進む。
そして、ステップＳ２０７において、課金部８０６が課金金額Ｇを第２金額Ｇ２に決定し、処理が図４のステップＳ１１３に戻る。第２金額Ｇ２は、例えば、第１金額Ｇ１から０．４円を引いた差（＝９．６円）である。
ステップＳ２０１でＹＥＳの場合には、ステップＳ２０９において、課金部８０６が課金金額Ｇを第３金額Ｇ３に決定し、処理が図４のステップＳ１１３に戻る。第３金額Ｇ３は、第２金額Ｇ２以下である。第３金額Ｇ３は、例えば、第１金額Ｇ１から０．７円を引いた差（＝９．３円）である。
【００４８】
ステップＳ１０５が、「第１判定ステップ」の一例に相当し、ステップＳ１０９が「算出ステップ」の一例に相当し、ステップＳ２０３が「第２判定ステップ」の一例に相当する。ステップＳ２０５、ステップＳ２０７及びステップＳ２０９が「課金ステップ」の一例に相当する。
【００４９】
以上、図１〜図５を参照して説明したように、本発明の実施形態では、画像形成部４がモノクロ画像を形成し、トナーコンテナＴＣｋが第１コンテナＴＣ１（例えば、専用品）であると判定した場合には、課金金額Ｇが第１金額Ｇ１から第２金額Ｇ２以下である第３金額Ｇ３に変更される。よって、トナーコンテナＴＣｋが第１コンテナＴＣ１である場合には、ユーザーは更に利益を享受できる。
【００５０】
また、第１コンテナＴＣ１が使用される場合には、画像形成装置１００の部品（例えば、感光体ドラム４２ｋ、現像部４３ｋ、中間転写ベルト５４、定着部１６）の劣化の進行が抑制されるため、画像形成装置１００の部品の寿命を延長できる。更に、トナーコンテナＴＣｋが第１コンテナＴＣ１であると判定した場合には、課金金額Ｇが第１金額Ｇ１から第２金額Ｇ２以下である第３金額Ｇ３に変更される。したがって、ユーザーに対して適正に課金できる。
【００５１】
なお、本発明の実施形態では、トナーコンテナＴＣが第２コンテナＴＣ２であると第１判定部８０２が判定した場合に、課金部８０６が課金金額Ｇを第１金額Ｇ１又は第２金額Ｇ２に決定するが、本発明はこれに限定されない。トナーコンテナＴＣが第１コンテナＴＣ１から第２コンテナＴＣ２に交換されてから所定期間は、課金部８０６が課金金額Ｇを第３金額Ｇ３に保持してもよい。トナーコンテナＴＣが第１コンテナＴＣ１から第２コンテナＴＣ２に交換されてから所定期間は、現像部４３から第１コンテナＴＣ１に収納された高品質トナーが供給されるからである。課金金額Ｇを第３金額Ｇ３に保持することによって、ユーザーは更に利益を享受できる。
【００５２】
また、本発明の実施形態では、課金金額Ｇが、画像形成部４が用紙Ｐに画像を形成することに対して課金する金額を示すが、本発明はこれに限定されない。課金金額が、画像形成装置１００のコストに対して課金する金額であればよい。例えば、課金金額が、画像形成装置１００の保守作業に対して課金する金額でもよい。また、例えば、課金金額が、トナーコンテナＴＣｃ〜トナーコンテナＴＣｋとは相違する所定の交換部品の交換に対して課金する金額でもよい。所定の交換部品は、例えば、感光体ドラム４２、現像ローラー４３１、及び中間転写ベルト５４の少なくとも１つを含む。
【００５３】
次に、図１〜図３及び図６を参照して、画像形成部４がフルカラー画像を形成する場合の課金金額Ｇの決定方法について説明する。図６は、減額する条件と減額する金額ΔＧとの関係の一例を示す図である。図６に示すように、減額する条件は、下記５つの条件を含む。
条件Ａ：消費するトナーＴＮの色。
条件Ｂ：トナーコンテナＴＣｃ〜トナーコンテナＴＣｋの各々が、第１コンテナＴＣ１であるか、第２コンテナＴＣ２であるか。
条件Ｃ：各色の消費量ＣＳ１〜消費量ＣＳ４が第１閾値ＣＳＡ以上であるか否か。
条件Ｄ：消費量ＣＳ５が第２閾値ＣＳＢ以上であるか否か。
条件Ｅ：消費量ＣＳ６が第３閾値ＣＳＣ以上であるか否か。
なお、「消費量ＣＳ５」とは、トナーコンテナＴＣｃ〜トナーコンテナＴＣｋのうちの第１コンテナＴＣ１であると判定されたトナーコンテナＴＣに収納されたトナーＴＮの消費量ＣＳの和を示す。また、「消費量ＣＳ６」とは、トナーコンテナＴＣｃ〜トナーコンテナＴＣｋのうちの第２コンテナＴＣ２であると判定されたトナーコンテナＴＣに収納されたトナーＴＮの消費量ＣＳの和を示す。
【００５４】
図６に示すように、例えば、シアン色のトナーＴＮ１について説明する。トナーコンテナＴＣｃが第１コンテナＴＣ１である場合には、シアン色のトナーＴＮ１の消費量ＣＳ１に拘らず、金額ΔＧが０．５円に設定される。また、例えば、トナーコンテナＴＣｃが第２コンテナＴＣ２であり、シアン色のトナーＴＮ１の消費量ＣＳ１が第１閾値ＣＳＡ以上である場合には、金額ΔＧが０（ゼロ）円に設定される。トナーコンテナＴＣｃが第２コンテナＴＣ２であり、シアン色のトナーＴＮ１の消費量ＣＳ１が第１閾値ＣＳＡ未満である場合には、金額ΔＧが０．３円に設定される。
【００５５】
マゼンタ色のトナーＴＮ２、及びイエロー色のトナーＴＮ３についても、シアン色のトナーＴＮ１と同様に金額ΔＧが設定される。
【００５６】
また、例えば、黒色のトナーＴＮ４について説明する。トナーコンテナＴＣｋが第１コンテナＴＣ１である場合には、黒色のトナーＴＮ４の消費量ＣＳ４に拘らず、金額ΔＧが０．７円に設定される。また、例えば、トナーコンテナＴＣｋが第２コンテナＴＣ２であり、黒色のトナーＴＮ４の消費量ＣＳ４が第１閾値ＣＳＡ以上である場合には、金額ΔＧが０（ゼロ）円に設定される。トナーコンテナＴＣｋが第２コンテナＴＣ２であり、黒色のトナーＴＮ４の消費量ＣＳ４が第１閾値ＣＳＡ未満である場合には、金額ΔＧが０．４円に設定される。
【００５７】
また、例えば、消費量ＣＳ５が第２閾値ＣＳＢ以上である場合には、金額ΔＧが０（ゼロ）円に設定される。消費量ＣＳ５が第２閾値ＣＳＢ未満である場合には、金額ΔＧが０．５円に設定される。
【００５８】
また、例えば、消費量ＣＳ６が第３閾値ＣＳＣ以上である場合には、金額ΔＧが０（ゼロ）円に設定される。消費量ＣＳ６が第３閾値ＣＳＣ未満である場合には、金額ΔＧが０．２円に設定される。
【００５９】
画像形成部４がフルカラー画像を形成する場合には、第１算出部８０３は、シアン色のトナーＴＮ１の消費量ＣＳ１、マゼンタ色のトナーＴＮ２の消費量ＣＳ２、イエロー色のトナーＴＮ３の消費量ＣＳ３、及び黒色のトナーＴＮ４の消費量ＣＳ４をトナーカウンター８３１から取得する。
【００６０】
トナーカウンター８３１は、画像形成部４がフルカラー画像を形成する場合には、フルカラー画像に対応する画像データに含まれる全画素における各色の階調値の合計をそれぞれ算出する。具体的には、トナーカウンター８３１は、画像データに含まれる全画素におけるシアン色の階調値の合計値ＳＭ１を算出する。そして、画像データに含まれる全画素におけるマゼンタ色の階調値の合計値ＳＭ２を算出する。そして、画像データに含まれる全画素におけるイエロー色の階調値の合計値ＳＭ３を算出する。そして、画像データに含まれる全画素における黒色の階調値の合計値ＳＭ４を算出する。そして、トナーカウンター８３１は、合計値ＳＭ１からトナーＴＮ１の消費量ＣＳ１を算出し、合計値ＳＭ２からトナーＴＮ２の消費量ＣＳ２を算出し、合計値ＳＭ３からトナーＴＮ３の消費量ＣＳ３を算出し、合計値ＳＭ４からトナーＴＮ４の消費量ＣＳ４を算出する。
【００６１】
第２算出部８０５は、トナーコンテナＴＣｃ〜トナーコンテナＴＣｋに収納されたトナーＴＮの各々の消費量ＣＳの和を算出する。具体的には、第２算出部８０５は、消費量ＣＳ５及び消費量ＣＳ６を算出する。
【００６２】
第２判定部８０４は、消費量ＣＳ１が第１閾値ＣＳＡ以上であるか否かを判定し、消費量ＣＳ２が第１閾値ＣＳＡ以上であるか否かを判定し、消費量ＣＳ３が第１閾値ＣＳＡ以上であるか否かを判定し、消費量ＣＳ４が第１閾値ＣＳＡ以上であるか否かを判定する。更に、第２判定部８０４は、消費量ＣＳ５が第２閾値ＣＳＢ以上であるか否かを判定し、消費量ＣＳ６が第３閾値ＣＳＣ以上であるか否かを判定する。
【００６３】
課金部８０６は、シアン色のトナーＴＮ１、マゼンタ色のトナーＴＮ２、イエロー色のトナーＴＮ３及び黒色のトナーＴＮ４の各々について、条件Ｂ及び条件Ｃに基づいて、減額する金額ΔＧを求める。また、課金部８０６は、消費量ＣＳ５及び消費量ＣＳ６に基づいて、減額する金額ΔＧを求める。そして、求めた全ての金額ΔＧを第１金額Ｇ１から減額することによって、課金部８０６は、課金金額Ｇを算出する。課金金額Ｇの具体的な算出方法については、図９及び図１０を参照して後述にて詳細に説明する。
【００６４】
次に、図１〜図３、図６及び図７を参照して、画像形成部４がフルカラー画像を形成する場合に、課金部８０６がタッチパネル１４１に表示する課金金額表示画面９００について説明する。図７は、タッチパネル１４１に表示する課金金額表示画面９００の一例を示す画面図である。課金金額表示画面９００は、課金部８０６によって表示される。
【００６５】
図７（ａ）は、第１コンテナＴＣ１が装着された場合の課金金額表示画面９００の一例を示す画面図である。図７（ａ）に示すように、課金金額表示画面９００には、コンテナ表示部９０１、減額表示部９０２及びＯＫボタン９０３が表示される。
【００６６】
コンテナ表示部９０１には、トナー供給部１３に装着されたトナーコンテナＴＣｃ〜トナーコンテナＴＣｋが、第１コンテナＴＣ１であるか、第２コンテナＴＣ２であるかが表示される。例えば、コンテナ表示部９０１には、「全色に第１コンテナＴＣ１が装着されています。」と表示されている。
【００６７】
減額表示部９０２には、減額する金額ΔＧが表示される。例えば、減額表示部９０２には、「１枚当たり２．７円減額します。」と表示され、金額ΔＧが２．７（＝０．５×３＋０．７＋０．５）円であることが示されている（図６参照）。画像形成部４がフルカラー画像を形成し、減額する金額ΔＧが０（ゼロ）である場合には、課金部８０６は、例えば１枚当たり３０円を課金する。金額ΔＧが２．７円である場合には、課金金額Ｇは１枚当たり２７．３（＝３０−２．７）円に決定される。
【００６８】
ＯＫボタン９０３は、ユーザーが課金金額表示画面９００の表示内容を確認した場合にタッチされるボタンを示す。ＯＫボタン９０３がタッチされた場合には、課金部８０６は、課金金額表示画面９００を非表示にする。
【００６９】
図７（ｂ）は、第２コンテナＴＣ２が装着された場合の課金金額表示画面９００の一例を示す画面図である。図７（ｂ）に示すように、課金金額表示画面９００には、コンテナ表示部９０１、減額表示部９０２及びＯＫボタン９０３が表示される。
【００７０】
コンテナ表示部９０１には、例えば、「全色に第２コンテナＴＣ２が装着されています。」と表示されている。
【００７１】
減額表示部９０２には、例えば、「減額されません」と表示され、金額ΔＧが０（ゼロ）円であることが示されている。この場合には、課金金額Ｇは１枚当たり３０円に決定される。
【００７２】
以上、図１〜図３、図６及び図７を参照して説明したように、課金部８０６が課金金額表示画面９００をタッチパネル１４１に表示するため、ユーザーは、減額する金額ΔＧを確認できる。したがって、ユーザーの利便性を向上できる。
【００７３】
次に、図１〜図３及び図６〜図１０を参照して、制御部８の処理について説明する。図８は、制御部８の処理の別の一例を示すフローチャートである。具体的には、図８は、画像形成部４がフルカラー画像を形成する場合の制御部８の処理を示す。
図８に示すように、まず、ステップＳ３０１において、制御部８が、トナー供給部１３にトナーコンテナＴＣが装着されたか否かを判定する。
トナーコンテナＴＣが装着されていないと制御部８が判定した場合（ステップＳ３０１でＮＯ）には、処理が待機状態になる。トナーコンテナＴＣが装着されたと制御部８が判定した場合（ステップＳ３０１でＹＥＳ）には、処理がステップＳ３０３に進む。
そして、ステップＳ３０３において、取得部８０１は、トナーコンテナＴＣの識別情報ＪＤを取得する。
次に、ステップＳ３０５において、第１判定部８０２は、トナーコンテナＴＣが第１コンテナＴＣ１であるか、第２コンテナＴＣ２であるかを判定する。
【００７４】
次に、ステップＳ３０７において、制御部８が、プリントジョブＪＢを受け付けたか否かを判定する。プリントジョブＪＢは、フルカラー画像を用紙Ｐに形成するジョブを示す。
プリントジョブＪＢを受け付けていないと制御部８が判定した場合（ステップＳ３０７でＮＯ）には、処理が待機状態になる。プリントジョブＪＢを受け付けたと制御部８が判定した場合（ステップＳ３０７でＹＥＳ）には、処理がステップＳ３０９に進む。
そして、ステップＳ３０９において、第１算出部８０３は、トナーＴＮ１の消費量ＣＳ１、トナーＴＮ２の消費量ＣＳ２、トナーＴＮ３の消費量ＣＳ３及びトナーＴＮ４の消費量ＣＳ４を算出する。
次に、ステップＳ３１１において、第２算出部８０５は、消費量ＣＳ５及び消費量ＣＳ６を算出する。
次に、ステップＳ３１３において、制御部８が、「課金金額算出処理」を実行する。「課金金額算出処理」は、ユーザーに課金する金額（課金金額Ｇ）を決定する処理を示す。
次に、ステップＳ３１５において、課金部８０６は、課金金額表示画面９００をタッチパネル１４１に表示する。
次に、ステップＳ３１７において、制御部８が、プリントジョブＪＢを実行し、処理が終了する。
【００７５】
図９及び図１０は、制御部８の「課金金額算出処理」の別の一例を示すフローチャートである。具体的には、図９及び図１０は、画像形成部４がフルカラー画像を形成する場合の制御部８の「課金金額算出処理」を示す。
図９に示すように、まず、ステップＳ４０１において、課金部８０６は、トナーコンテナＴＣｃが第１コンテナＴＣ１である否かを判定する。
トナーコンテナＴＣｃが第１コンテナＴＣ１であると課金部８０６が判定した場合（ステップＳ４０１でＹＥＳ）には、処理がステップＳ４０９に進む。
そして、ステップＳ４０９において、課金部８０６が金額ΔＧに０．５円を入力して処理がステップＳ４１１に進む。
トナーコンテナＴＣｃが第１コンテナＴＣ１ではないと課金部８０６が判定した場合（ステップＳ４０１でＮＯ）には、処理がステップＳ４０３に進む。
そして、ステップＳ４０３において、課金部８０６は、シアン色のトナーＴＮ１の消費量ＣＳ１が第１閾値ＣＳＡ以上であるか否かを判定する。
消費量ＣＳ１が第１閾値ＣＳＡ以上であると課金部８０６が判定した場合（ステップＳ４０３でＹＥＳ）には、処理がステップＳ４０５に進む。
そして、ステップＳ４０５において、課金部８０６が金額ΔＧに０（ゼロ）円を入力して処理がステップＳ４１１に進む。
消費量ＣＳ１が第１閾値ＣＳＡ以上ではないと課金部８０６が判定した場合（ステップＳ４０３でＮＯ）には、処理がステップＳ４０７に進む。
そして、ステップＳ４０７において、課金部８０６が金額ΔＧに０．３円を入力して処理がステップＳ４１１に進む。
【００７６】
次に、ステップＳ４１１において、課金部８０６は、トナーコンテナＴＣｍが第１コンテナＴＣ１である否かを判定する。
トナーコンテナＴＣｍが第１コンテナＴＣ１であると課金部８０６が判定した場合（ステップＳ４１１でＹＥＳ）には、処理がステップＳ４１９に進む。
そして、ステップＳ４１９において、課金部８０６が金額ΔＧに０．５円を加算して処理が図１０のステップＳ４２１に進む。
トナーコンテナＴＣｍが第１コンテナＴＣ１ではないと課金部８０６が判定した場合（ステップＳ４１１でＮＯ）には、処理がステップＳ４１３に進む。
そして、ステップＳ４１３において、課金部８０６は、マゼンタ色のトナーＴＮ２の消費量ＣＳ２が第１閾値ＣＳＡ以上であるか否かを判定する。
消費量ＣＳ２が第１閾値ＣＳＡ以上であると課金部８０６が判定した場合（ステップＳ４１３でＹＥＳ）には、処理が図１０のステップＳ４２１に進む。消費量ＣＳ２が第１閾値ＣＳＡ以上ではないと課金部８０６が判定した場合（ステップＳ４１３でＮＯ）には、処理がステップＳ４１７に進む。
そして、ステップＳ４１７において、課金部８０６が金額ΔＧに０．３円を加算して処理が図１０のステップＳ４２１に進む。
【００７７】
次に、図１０に示すように、ステップＳ４２１において、課金部８０６は、トナーコンテナＴＣｙが第１コンテナＴＣ１である否かを判定する。
トナーコンテナＴＣｙが第１コンテナＴＣ１であると課金部８０６が判定した場合（ステップＳ４２１でＹＥＳ）には、処理がステップＳ４２９に進む。
そして、ステップＳ４２９において、課金部８０６が金額ΔＧに０．５円を加算して処理がステップＳ４３１に進む。
トナーコンテナＴＣｙが第１コンテナＴＣ１ではないと課金部８０６が判定した場合（ステップＳ４２１でＮＯ）には、処理がステップＳ４２３に進む。
そして、ステップＳ４２３において、課金部８０６は、イエロー色のトナーＴＮ３の消費量ＣＳ３が第１閾値ＣＳＡ以上であるか否かを判定する。
消費量ＣＳ３が第１閾値ＣＳＡ以上であると課金部８０６が判定した場合（ステップＳ４２３でＹＥＳ）には、処理がステップＳ４３１に進む。消費量ＣＳ３が第１閾値ＣＳＡ以上ではないと課金部８０６が判定した場合（ステップＳ４２３でＮＯ）には、処理がステップＳ４２７に進む。
そして、ステップＳ４２７において、課金部８０６が金額ΔＧに０．３円を加算して処理がステップＳ４３１に進む。
【００７８】
次に、ステップＳ４３１において、課金部８０６は、トナーコンテナＴＣｋが第１コンテナＴＣ１である否かを判定する。
トナーコンテナＴＣｋが第１コンテナＴＣ１であると課金部８０６が判定した場合（ステップＳ４３１でＹＥＳ）には、処理がステップＳ４３９に進む。
そして、ステップＳ４３９において、課金部８０６が金額ΔＧに０．７円を加算して処理がステップＳ４４１に進む。
トナーコンテナＴＣｋが第１コンテナＴＣ１ではないと課金部８０６が判定した場合（ステップＳ４３１でＮＯ）には、処理がステップＳ４３３に進む。
そして、ステップＳ４３３において、課金部８０６は、黒色のトナーＴＮ４の消費量ＣＳ４が第１閾値ＣＳＡ以上であるか否かを判定する。
消費量ＣＳ４が第１閾値ＣＳＡ以上であると課金部８０６が判定した場合（ステップＳ４３３でＹＥＳ）には、処理がステップＳ４４１に進む。消費量ＣＳ４が第１閾値ＣＳＡ以上ではないと課金部８０６が判定した場合（ステップＳ４３３でＮＯ）には、処理がステップＳ４３７に進む。
そして、ステップＳ４３７において、課金部８０６が金額ΔＧに０．４円を加算して処理がステップＳ４４１に進む。
【００７９】
次に、ステップＳ４４１において、課金部８０６は、第１コンテナＴＣ１の消費量ＣＳの和の消費量ＣＳ５が第２閾値ＣＳＢ以上であるか否かを判定する。
消費量ＣＳ５が第２閾値ＣＳＢ以上であると課金部８０６が判定した場合（ステップＳ４４１でＹＥＳ）には、処理がステップＳ４４５に進む。消費量ＣＳ５が第２閾値ＣＳＢ以上ではないと課金部８０６が判定した場合（ステップＳ４４１でＮＯ）には、処理がステップＳ４４３に進む。
そして、ステップＳ４４３において、課金部８０６が金額ΔＧに０．５円を加算する。
次に、ステップＳ４４５において、課金部８０６は、第２コンテナＴＣ２の消費量ＣＳの和の消費量ＣＳ６が第３閾値ＣＳＣ以上であるか否かを判定する。
消費量ＣＳ６が第３閾値ＣＳＣ以上であると課金部８０６が判定した場合（ステップＳ４４５でＹＥＳ）には、処理がステップＳ４４９に進む。消費量ＣＳ６が第３閾値ＣＳＣ以上ではないと課金部８０６が判定した場合（ステップＳ４４５でＮＯ）には、処理がステップＳ４４７に進む。
そして、ステップＳ４４７において、課金部８０６が金額ΔＧに０．２円を加算する。
次に、ステップＳ４４９において、課金部８０６が、第１金額Ｇ１から金額ΔＧを引いた差を、課金金額Ｇに決定し、処理が図８のステップＳ３１５に戻る。第１金額Ｇ１は、例えば１枚当たり３０円である。
【００８０】
ステップＳ３０５が、「第１判定ステップ」の一例に相当し、ステップＳ３０９が「算出ステップ」の一例に相当し、ステップＳ４０３、ステップＳ４１３、ステップＳ４２３及びステップＳ４３３が「第２判定ステップ」の一例に相当する。ステップＳ４４９が「課金ステップ」の一例に相当する。
【００８１】
以上、図１〜図３及び図６〜図１０を参照して説明したように、本発明の実施形態では、トナーコンテナＴＣｃ〜トナーコンテナＴＣｋの各々が、第１コンテナＴＣ１であるか第２コンテナＴＣ２であるかを判定する。その判定結果に応じて、課金金額Ｇを決定する。例えば、トナーコンテナＴＣｃ〜トナーコンテナＴＣｋの全てが第１コンテナＴＣ１（例えば、専用品）である場合には、課金金額Ｇを第１金額Ｇ１（例えば、１枚当たり３０円）より２．７（＝０．５×３＋０．７＋０．５）円だけ安い金額（例えば、１枚当たり２７．３（＝３０−２．７）円）に決定する。よって、トナーコンテナＴＣｃ〜トナーコンテナＴＣｋの全てが第１コンテナＴＣ１である場合には、ユーザーは更に利益を享受できる。
【００８２】
また、トナーコンテナＴＣｃ〜トナーコンテナＴＣｋの全てが第１コンテナＴＣ１である場合には、画像形成装置１００の部品（例えば、感光体ドラム４２ｃ〜感光体ドラム４２ｋ、現像部４３ｃ〜現像部４３ｋ、中間転写ベルト５４、定着部１６）の劣化の進行が抑制されるため、画像形成装置１００の部品の寿命を延長できる。
【００８３】
また、第２コンテナＴＣ２であると判定された少なくとも１つのトナーコンテナＴＣに収納されたトナーＴＮの消費量ＣＳが第１閾値ＣＳＡ以上であるか否かに応じて、課金金額Ｇが決定される。よって、トナーコンテナＴＣｃ〜トナーコンテナＴＣｋの全てが第２コンテナＴＣ２であると判定された場合であっても、消費量ＣＳが第１閾値ＣＳＡ以上ではない場合には、ユーザーは利益を享受できる。
【００８４】
また、第２コンテナＴＣ２が使用されている場合であっても、第２コンテナＴＣ２であると判定された少なくとも１つのトナーコンテナＴＣに収納されたトナーＴＮの消費量ＣＳが第１閾値ＣＳＡ以上ではない場合には、第２コンテナＴＣ２が使用されることに伴う画像形成装置１００の部品（例えば、感光体ドラム４２、現像部４３）が受ける劣化の進行が軽減される。したがって、画像形成装置１００の部品の寿命を延長できる。更に、第２コンテナＴＣ２であると判定された少なくとも１つのトナーコンテナＴＣに収納されたトナーＴＮの消費量ＣＳが第１閾値ＣＳＡ以上であるか否かに応じて、課金金額Ｇが決定される。したがって、ユーザーに対して更に適正に課金できる。
【００８５】
更に、黒色のトナーＴＮ４は、フルカラー画像を形成する場合にも、モノクロ画像を形成する場合にも使用される。よって、第２コンテナＴＣ２であると判定された少なくとも１つのトナーコンテナＴＣに収納されたトナーＴＮの色が黒色であるか否かに応じて、課金金額Ｇを決定することで、ユーザーに対して更に適正に課金できる。
【００８６】
また、第２コンテナＴＣ２のトナーＴＮの消費量ＣＳの和を示す消費量ＣＳ６が少ない程、第２コンテナＴＣ２が使用されることに伴う画像形成装置１００の部品（例えば、中間転写ベルト５４、定着部１６）が受ける劣化の進行が軽減される。したがって、画像形成装置１００の部品の寿命を延長できる。更に、消費量ＣＳ６に基づき、課金金額Ｇが決定される。したがって、ユーザーに対して更に適正に課金できる。
【００８７】
更に、第１コンテナＴＣ１のトナーＴＮの消費量ＣＳの和を示す消費量ＣＳ５が少ない程、画像形成装置１００の部品（例えば、中間転写ベルト５４、定着部１６）が受ける劣化の進行が軽減される。したがって、画像形成装置１００の部品の寿命を延長できる。更に、消費量ＣＳ５に基づき、課金金額Ｇが決定される。したがって、ユーザーに対して更に適正に課金できる。
【００８８】
なお、本発明の実施形態では、消費量ＣＳ１の閾値、消費量ＣＳ２の閾値、消費量ＣＳ３の閾値、及び消費量ＣＳ４の閾値が全て第１閾値ＣＳＡであるが、本発明はこれに限定されない。消費量ＣＳ１の閾値、消費量ＣＳ２の閾値、消費量ＣＳ３の閾値、及び消費量ＣＳ４の閾値が互いに相違してもよい。
【００８９】
また、本発明の実施形態では、消費量ＣＳ５及び消費量ＣＳ６に基づき、課金金額Ｇが決定されるが、本発明はこれに限定されない。消費量ＣＳ５と消費量ＣＳ６との和（すなわち、消費量ＣＳ１〜消費量ＣＳ４の和）に基づき、課金金額Ｇが決定されてもよい。この場合には、処理が簡略化される。
【００９０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９１】
（１）図１及び図２を参照して説明したように、本発明の実施形態では、「消耗品」がトナーであり、「交換部品」がトナーコンテナＴＣであるが、本発明はこれに限定されない。「消耗品」を消費することによって用紙Ｐに画像を形成すればよい。例えば、「消耗品」がインクであり、「交換部品」がインクカートリッジでもよい。この場合には、「画像形成装置」は、インクジェット記録装置である。
【００９２】
（２）図１及び図２を参照して説明したように、本発明の実施形態では、画像形成装置１００がカラー複合機であるが、本発明はこれに限定されない。画像形成装置１００が用紙Ｐに画像を形成すればよい。例えば、画像形成装置１００がモノクロの複合機でもよいし、画像形成装置１００がカラープリンターでもよい。
【００９３】
（３）図１〜図３を参照して説明したように、本発明の実施形態では、第１コンテナＴＣ１が、専用品を示し、第２コンテナＴＣ２が非専用品を示すが、本発明はこれに限定されない。第１コンテナＴＣ１が「高品質」のトナーを収納し、第２コンテナＴＣ２が「通常品質」のトナーを収納していればよい。「高品質」のトナーは、「通常品質」のトナーと比較して品質が高い。
【００９４】
（４）図１〜図５を参照して説明したように、本発明の実施形態では、第３金額Ｇ３が第２金額Ｇ２未満であるが、第３金額Ｇ３は、第２金額Ｇ２以下であればよい。例えば、第３金額Ｇ３が第２金額Ｇ２と同一でもよい。
【産業上の利用可能性】
【００９５】
本発明は、画像形成装置、及び画像形成方法の分野に利用可能である。
【符号の説明】
【００９６】
１００    画像形成装置
１    画像形成ユニット
４、４ｃ、４ｍ、４ｙ、４ｋ    画像形成部
４２、４２ｃ、４２ｍ、４２ｙ、４２ｋ    感光体ドラム
４３、４３ｃ、４３ｍ、４３ｙ、４３ｋ    現像部
４３１、４３１ｃ、４３１ｍ、４３１ｙ、４３１ｋ    現像ローラー
５    転写部
５１、５１ｃ、５１ｍ、５１ｙ、５１ｋ    一次転写ローラー
５２    二次転写ローラー
５３    駆動ローラー
５４    中間転写ベルト
１３    トナー供給部（装着部）
ＴＣ、ＴＣｃ、ＴＣｍ、ＴＣｙ、ＴＣｋ    トナーコンテナ（交換部品）
６、６１、６２、６３、６４    ＩＣタグ
７、７１、７２、７３、７４    リーダー
１４    操作パネル
１４１    タッチパネル
８    制御部
８１    プロセッサー
８０１    取得部
８０２    第１判定部
８０３    第１算出部
８０４    第２判定部
８０５    第２算出部
８０６    課金部
８２    記憶部
８３    ＡＳＩＣ
８３１    トナーカウンター
２    画像読取ユニット
３    原稿搬送ユニット
ＴＮ、ＴＮ１〜ＴＮ４    トナー（消耗品）
ＣＳ、ＣＳ１〜ＣＳ６    消費量
ＣＳＡ    第１閾値
ＣＳＢ    第２閾値
ＣＳＣ    第３閾値
Ｇ    課金金額
Ｇ１    第１金額
Ｇ２    第２金額
Ｇ３    第３金額
ΔＧ    減額する金額
【図１】
0006988309.tif 000002
【図２】
0006988309.tif 000003
【図３】
0006988309.tif 000004
【図４】
0006988309.tif 000005
【図５】
0006988309.tif 000006
【図６】
0006988309.tif 000007
【図７】
0006988309.tif 000008
【図８】
0006988309.tif 000009
【図９】
0006988309.tif 000010
【図１０】
0006988309.tif 000011